(57)【要約】【課題】中皿内の化粧料容器内の化粧料の揮発を防止することができる化粧料容器を提供することである。【解決手段】化粧料容器１００においては、中皿２００、蓋体１１０および容器本体１２０からなる。また、中皿２００は中皿容器２２０と中皿蓋２１０とを係合することにより形成されている。また、中皿２００の中皿蓋２１０には、突起部２１１が形成されている。蓋体１１０が開動作した場合、蓋体１１０の蝶着軸１１８周りに設けられた偏心部１１９により容器本体１２０の突出ピース１６０が従動し、当該突出ピース１６０が突起部２１１に接触して、中皿容器２２０および中皿蓋２１０の係合を解除する。【選択図】図３
2010136848.tif 000002
【特許請求の範囲】
【請求項１】
中皿と、
前記中皿を収容する収容凹部を有する容器本体と、
前記容器本体に開閉自在に蝶着された蓋体と、を有する化粧料容器であって、
前記中皿は、前記化粧料を充填した中皿容器と、前記中皿容器と係合する中皿蓋とからなり、前記中皿蓋は、突起部を含み、
前記蓋体は、蝶着軸周りに押出し部を含み、
前記容器本体は、前記押出し部により従動する作動部を含み、
前記作動部は、前記押出し部の動きにより前記突起部に接触して、前記中皿容器および前記中皿蓋の係合を解除することを特徴とする化粧料容器。
【請求項２】
前記中皿の中皿蓋および中皿容器の少なくとも一方には、１または複数の凹部が形成され、前記中皿蓋および前記中皿容器の少なくとも他方には、前記凹部と係合する１または複数の凸部が形成され、前記中皿蓋および前記中皿容器の前記凹部と前記凸部とが係合し、
前記中皿の一端側に開閉軸が設けられ、前記中皿の他端側に前記突起部が設けられたことを特徴とする請求項１記載の化粧料容器。
【請求項３】
前記押出し部は、前記蓋体の蝶着軸に設けた突起部からなることを特徴とする請求項１または請求項２に記載の化粧料容器。
【請求項４】
前記押出し部は、前記蓋体の蝶着軸の周囲に設けた偏心部材からなることを特徴とする請求項１または請求項２に記載の化粧料容器。
【請求項５】
前記作動部は、前記突起部に対して進退移動するように設けられ、かつ前記進方向に対して第１傾斜部を有し、
前記突起部は、前記第１傾斜部に対向した第２傾斜部を有することを特徴とする請求項１から請求項４のいずれか１項に記載の化粧料容器。
【請求項６】
前記作動部は、前記退方向に付勢する弾性部を有し、かつ前記蓋体の押出し部により進方向に移動し、前記弾性部により退方向に移動することを特徴とする請求項５記載の化粧料容器。
【請求項７】
前記容器本体は、複数の収容凹部と前記複数の収容凹部を区分する壁とを含み、
前記作動部は、前記壁に内蔵され、前記作動部が進動作した場合のみ前記第１傾斜部が前記壁から露出するように設けられたことを特徴とする請求項５または請求項６に記載の化粧料容器。
【請求項８】
前記容器本体は、複数の収容凹部と前記複数の収容凹部を区分する壁とを含み、
前記作動部は、前記壁に沿って設けられたことを特徴とする請求項１から請求項６のいずれか１項に記載の化粧料容器。
【発明の詳細な説明】
【技術分野】
【０００１】
本発明は、化粧料を充填した中皿を収容する化粧料容器に関する。
【背景技術】
【０００２】
近年、化粧料容器においては、需要者（使用者）のニーズに応えるべく日々改良および研究開発が行われている。
【０００３】
例えば、特許文献１および特許文献２には、外蓋と内蓋とを一度の操作で開けられるようにして、二重構造となった蓋体の開動操作性を容易化することができる化粧料容器を提供することを目的とする化粧料容器について開示されている。
【０００４】
特許文献１記載の化粧料容器においては、容器本体と、この容器本体を開閉する外蓋と、容器本体内を隔壁によって２つの収納部に隔成し、一方の収納部を開閉する内蓋と、外蓋から突設されて容器本体に係脱される第１フックと、内蓋から突設されて容器本体に係脱される第２フックとを備え、これら第１フックと第２フックの係合を解除するためのプッシュピースを容器本体に移動可能に配置し、このプッシュピースに容器本体の前端部から突出する操作部と、第１フックおよび第２フックの係合をそれぞれ解除する第１解除部および第２解除部とを設けたことを特徴とするものである。
【０００５】
特許文献２記載の化粧料容器においては、容器本体と、この容器本体を開閉する外蓋と、容器本体内を隔壁によって２つの収納部に隔成し、一方の収納部内に脱着自在に収納される中皿と、この中皿に設けられてこれを開閉する内蓋と、外蓋から突設されて容器本体に係脱される第１フックと、内蓋から突設されて中皿に係脱される第２フックとを備え、これら第１フックと第２フックの係合を解除するためのプッシュピースを容器本体に回動可能に取付け、このプッシュピースに、これを回動させるべく操作される操作部と、このプッシュピースの回動により第１フックおよび第２フックの係合をそれぞれ解除する第１解除部および第２解除部とを設けたことを特徴とするものである。
【０００６】
【特許文献１】特許第３５７９１７５号公報
【特許文献２】特許第３７７８３０８号公報
【発明の開示】
【発明が解決しようとする課題】
【０００７】
このように、特許文献１および特許文献２記載の化粧料容器においては、外蓋と中蓋とを一度の操作で開けられるという効果を奏する。しかしながら、特許文献１および特許文献２記載の化粧料容器においては、使用者が、化粧料容器を鞄等に収納して運搬する場合、他の物品により操作部が押され、第１フックおよび第２フックが解除されたままの状態が生じる。
【０００８】
このような状態が長時間継続すると、化粧料容器の内部または中皿に収容された化粧料が空気に触れ、揮発成分が分散し、使用者の予期しない状態で、化粧料が使用できなくなることとなる。
【０００９】
本発明の目的は、中皿内の化粧料の揮発を防止することができる化粧料容器を提供することである。
本発明の他の目的は、使用時に化粧料の気密性を保持する中皿の中皿蓋を容易に開放するとともに、不使用時に中皿蓋が不用意に開状態となり中皿内の化粧料が揮発してしまうことを防止することができる化粧料容器を提供することである。
【課題を解決するための手段】
【００１０】
（１）
本発明に係る化粧料容器は、中皿と、中皿を収容する収容凹部を有する容器本体と、容器本体に開閉自在に蝶着された蓋体と、を有する化粧料容器であって、中皿は、化粧料を充填した中皿容器と、中皿容器と係合する中皿蓋とからなり、中皿蓋は、突起部を含み、蓋体は、蝶着軸周りに押出し部を含み、容器本体は、押出し部により従動する作動部を含み、作動部は、押出し部の動きにより突起部に接触して、中皿容器および中皿蓋の係合を解除するものである。
【００１１】
本発明に係る化粧料容器においては、中皿、蓋体および容器本体からなる。また、中皿は中皿容器と中皿蓋とを係合することにより形成されている。また、中皿の中皿蓋には、突起部が形成されている。蓋体が開動作した場合、蓋体の蝶着軸周りに設けられた押出し部により容器本体の作動部が従動し、当該作動部が突起部に接触して、中皿容器および中皿蓋の係合を解除する。
【００１２】
この場合、蓋体の開動作時にのみ中皿の開動作が行われるので、化粧料容器の蓋体を開動作させない限り、中皿の化粧料の気密性を保持することができる。したがって、化粧ポーチまたは鞄等に収納して持ち運ぶ際、誤って化粧料容器の中皿の蓋体が開状態となり、化粧料の揮発成分が消失して乾燥、収縮、ひび割れ等の問題が発生することを防止できる。
また、蓋体の開動作時にのみ中皿の開動作が行われるので、使用者に開動作を容易に認識させることができる。すなわち、使用時に化粧料の気密性を保持する中皿の中皿蓋を容易に開放するとともに、不使用時に中皿蓋が不用意に開状態となり中皿内の化粧料が揮発してしまうことを防止することができる。
【００１３】
（２）
中皿の中皿蓋および中皿容器の少なくとも一方には、１または複数の凹部が形成され、中皿蓋および中皿容器の少なくとも他方には、凹部と係合する１または複数の凸部が形成され、中皿蓋および中皿容器の凹部と凸部とが係合し、中皿の一端側に開閉軸が設けられ、中皿の他端側に突起部が設けられてもよい。
【００１４】
この場合、中皿の中皿蓋および中皿容器は、凹部と凸部とにより係合され、中皿の一端側に開閉軸が設けられ、中皿の他端側に突起部が設けられるので、開閉軸から最も離れた位置に簡易な力を与えることにより、中皿の中皿蓋を押し上げることができ、中皿の係合を解除することができる。
【００１５】
（３）
押出し部は、蓋体の蝶着軸に設けた突起部からなってもよい。
【００１６】
この場合、押出し部は、蓋体の蝶着軸に設けた突起部からなるので、蓋体が開動作されることにより蝶着軸に設けた突起部が、作動部を移動させる。その結果、簡易な構造および低コストで、蓋体の開動作時以外の中皿の化粧料の気密性を保持することができる。
【００１７】
（４）
押出し部は、蓋体の蝶着軸の周囲に設けた偏心部材からなってもよい。
【００１８】
この場合、押出し部は、蓋体の蝶着軸の周囲に設けた偏心部材からなるので、蓋体が開動作されることにより蝶着軸に設けた偏心部材が、作動部を移動させる。その結果、簡易な構造および低コストで、蓋体の開動作時以外の中皿の化粧料の気密性を保持することができる。
【００１９】
（５）
作動部は、突起部に対して進退移動するように設けられ、かつ進方向に対して第１傾斜部を有し、突起部は、第１傾斜部に対向した第２傾斜部を有してもよい。
【００２０】
この場合、作動部の第１傾斜部と中皿蓋の突起部の第２傾斜部とが、接触し、第１傾斜部が進方向に移動することにより、第２傾斜部が鉛直上方向に移動される。その結果、押出し部により作動部が移動しない限り、蓋体の係合が解除されないので、蓋体の開動作時以外の中皿の化粧料の気密性を保持することができる。
【００２１】
（６）
作動部は、退方向に付勢する弾性部を有し、かつ蓋体の押出し部により進方向に移動し、弾性部により退方向に移動してもよい。
【００２２】
この場合、作動部は、蓋体の押出し部により進方向に移動され、弾性部により退方向に移動されるので、蓋体を閉動作することにより、中皿の中皿蓋と中皿容器との係合を再度、行うことができる。
【００２３】
（７）
容器本体は、複数の収容凹部と複数の収容凹部を区分する壁とを含み、作動部が進動作した場合のみ第１傾斜部が壁から露出するように設けられてもよい。
【００２４】
この場合、作動部の大部分が、壁に内蔵されているので、外観上好ましい。また、作動部が進動作した場合のみ、第１傾斜部が壁から露出し、第２傾斜部に接触する。その結果、作動部が移動しない限り、蓋体の係合が解除されないので、中皿の化粧料の気密性を保持することができる。
【００２５】
（８）
容器本体は、複数の収容凹部と複数の収容凹部を区分する壁とを含み、作動部は、壁に沿って設けられてもよい。
【００２６】
この場合、作動部は、壁に沿って進退動作するので、使用者が中皿の係合の解除を認識することができ、安心して化粧料を使用することができる。その結果、蓋体の開動作時以外の中皿の化粧料の気密性を保持することができる。
【発明を実施するための最良の形態】
【００２７】
以下、本発明に係る化粧料容器について図面を用いて説明する。なお、本実施の形態においては、化粧料容器としてファンデーション化粧料が充填された中皿および化粧用パフを並列させて収容可能な化粧料容器を例に挙げて説明する。
【００２８】
（第１の実施の形態）
図１は、本発明の第１の実施の形態に係る化粧料容器の構成の一例を示す模式的外観図であり、図２は、図１に示す化粧料容器の使用状態を説明するための模式的外観図であり、図３は、図２のＡ−Ａ断面の一例を示す模式的断面図である。
【００２９】
まず、図１および図２に示すように、化粧料容器１００は、合成樹脂製の蓋体１１０および合成樹脂製の容器本体１２０からなる。また、蓋体１１０の内側には、鏡１１２が設けられており、蓋体１１０は、容器本体１２０と蝶着軸１１８により開閉可能に配設されている。また、化粧料容器１００は、平面視略直方体形状に形成されている。
【００３０】
また、図１に示すように、容器本体１２０には、化粧用パフ３００を収容可能な収容凹部１８０および中皿２００を収容可能な収容凹部１３０が形成されている。これらの収容凹部１８０および収容凹部１３０は、仕切り板１３３により仕切られている。例えば、図２に示すように、収容凹部１８０に化粧用パフ３００が収容され、収容凹部１３０に中皿２００が収容される。また、収容凹部１８０内の仕切り板１３３近傍には、突出ピース１６０が設けられている。
【００３１】
また、図１に示すように、中皿２００は、中皿蓋２１０、中皿容器２２０およびヒンジ部２３０からなり、ヒンジ部２３０を中心に中皿蓋２１０が中皿容器２２０から開閉可能に設けられている。また、中皿容器２２０の内部に化粧料４００が収容されている。中皿蓋２１０には、凹部２１２が形成されており、中皿容器２２０には、凸部２２２が形成されている。凹部２１２および凸部２２２は、パッキン（図示せず）を介して係合することにより、中皿２００内の気密性を保持するようになっている。ヒンジ部２３０に対して中皿蓋２１０の逆側端部には、突起部２１１が形成されている。
【００３２】
また、図３に示すように、使用者が容器本体１２０に設けられたフックピース１９０を押すことにより、蓋体１１０に設けられたフック（係合爪）１１５が係止部１９１から外れる。そして、使用者は、蓋体１１０を蝶着軸１１８に沿って矢印Ｒ１の方向に回転させる。それにより、化粧料容器１００の開動作が行われる。また、この場合、突出ピース１６０が突出動作を行う。この突出ピース１６０の詳細動作については、後述する。
【００３３】
一方、使用者が蓋体１１０を押して、蝶着軸１１８に沿って蓋体１１０を矢印Ｒ１と逆の方向に回転させる。この場合、後述するように、突出ピース１６０は突出動作と逆方向に移動する。そして、蓋体１１０に設けられたフック（係合爪）１１５が係止部１９１に係止される。それにより、化粧料容器１００の閉動作が行われる。
【００３４】
続いて、図４は、中皿２００と係合する化粧料容器１００の固定係止部１５１を説明するための模式的拡大図であり、図５は、中皿２００と係合する化粧料容器１００の弾性係止部１５０を説明するための模式的拡大図である。
【００３５】
図４に示すように、収容凹部１３０の側壁１３１には、２個の固定係止部１５１が設けられ、図５に示すように、収容凹部１３０の側壁に対向する側壁１３２には、２個の弾性係止部１５０が設けられる。また、収容凹部１３０の底部には、貫通した孔部１３５が設けられている。孔部１３５は、固定係止部１５１側の側壁１３１の近傍に設けられる。また、収容凹部１３０の側壁１３１に隣接する側壁には、切欠き部１４０が設けられている。切欠き部１４０は、後述する中皿２００のヒンジ部２３０が収容可能なサイズで形成される。
【００３６】
図４に示すように、中皿２００に設けられた係止部２４０は、凹形状からなり、化粧料容器１００に中皿２００が収容された場合、係止部２４０に破線の方向に沿って凸形状からなる固定係止部１５１が係合する。なお、図４においては、係止部２４０は、凹形状からなることとしたが、これに限定されず、係止部２４０は、固定係止部１５１との間で係合する形状であれば、他の任意の形状であってもよい。また、図４においては、２個の固定係止部１５１からなることとしているが、これに限定されず、１個の固定係止部であってもよく、他の任意の数、３個、４個の固定係止部であってもよい。さらに、係止部２４０は、固定係止部１５１に係合する形状であればよい。
【００３７】
また、図５に示すように、中皿２００に設けられた係止部２４１は、凹形状からなり、化粧料容器１００に中皿２００が収容された場合、係止部２４１に破線の方向に沿って凸形状を有する弾性係止部１５０が係合する。ここで、弾性係止部１５０は、側壁１３２にスリット１５５を設けることにより弾性を有するように形成されている。なお、図５においては、係止部２４１は、凹形状からなることとしたが、これに限定されず、係止部２４１は、弾性係止部１５０との間で係合する形状であれば、他の任意の形状であってもよい。また、図５においては、２個の弾性係止部１５０からなることとしているが、これに限定されず、１個の弾性係止部であってもよく、他の任意の数、３個、４個の弾性係止部であってもよい。さらに、係止部２４１は、弾性係止部１５０に係合する形状であればよい。
【００３８】
これにより、中皿２００の中皿容器２２０は、容器本体１２０に堅固に固定される。それにより、後述する突出ピース１６０の働きを確実に発揮させることができる。
【００３９】
次いで、図６は、突出ピース１６０の詳細を示す模式的平面図である。
【００４０】
図６に示すように、突出ピース１６０は、先端部１６１、細肉部１６２、本体部１６３および後端部１６４からなる。細肉部１６２の厚みはＬ１からなり、本体部１６３の厚みはＬ２（Ｌ１＜Ｌ２）からなる。後端部１６４は、凸状の湾曲面からなる。
【００４１】
突出ピース１６０の先端部１６１は、傾斜面を有する三角形状からなり、細肉部１６２は、厚みを薄くすることにより弾性を有する形状となっている。
【００４２】
次いで、図７から図９は図３の化粧料容器１００の断面の一部を拡大した模式的拡大図である。図７から図９は、順に化粧料容器１００の蓋体１１０を開動作させた状態を示す。
【００４３】
図７に示すように、化粧料容器１００の蓋体１１０を回転させた場合、蝶着軸１１８に偏心して設けられた偏心部１１９が突出ピース１６０の後端部１６４に接触する。さらに、図８に示すように、化粧料容器１００の蓋体１１０をさらに回転させた場合、蝶着軸１１８に偏心して設けられた偏心部１１９が後端部１６４をさらに押し、突出ピース１６０が矢印Ｓ１の方向に移動する。この場合、突出ピース１６０は、先端部１６１が容器本体１２０の突起部１２１に乗り上げ、弾性変形し始める。同時に先端部１６１の傾斜面と突起部２１１の傾斜面とが接触し、先端部１６１が、容器本体１２０に固定された中皿２００に対して、中皿蓋２１０の突起部２１１を鉛直上方向に押し上げる。
【００４４】
さらに、図９に示すように、化粧料容器１００の蓋体１１０を回転させた場合、蝶着軸１１８に偏心して設けられた偏心部１１９が後端部１６４をさらに押し、突出ピース１６０がさらに矢印Ｓ１の方向に移動し、先端部１６１が、中皿２００の中皿蓋２１０に設けられた突起部２１１をさらに鉛直上方向に押し上げ、中皿２００の中皿蓋２１０と中皿容器２２０との係合を解除する。すなわち、中皿蓋２１０の凹部２１２と中皿容器２２０の凸部２２２との係合深さ以上に、突起部２１１が押し上げられる。
【００４５】
（第２の実施の形態）
以下、第２の実施の形態に係る化粧料容器１００ａについて図を用いて説明する。なお、第２の実施の形態に係る化粧料容器１００ａにおいては、第１の実施の形態に係る化粧料容器１００と異なる点について説明を行う。図１０は、第２の実施の形態に係る化粧料容器１００ａの一例を示す模式的概観図である。
【００４６】
図１０に示す化粧料容器１００ａは、突出ピース１６０の代わりに突出ピース１６０ａを有し、中皿２００の代わりに中皿２００ａを有する。なお、突出ピース１６０ａは、突出ピースと同じ形状であり、配置が異なる。
【００４７】
図１の化粧料容器１００においては、突出ピース１６０が、収容凹部１８０内の仕切り板１３３に沿って設けられているが、図１０の化粧料容器１００ａにおいては、突出ピース１６０ａが収容凹部１３０内の仕切り板１３３近傍に設けられる。
【００４８】
また、図１に示すように、中皿２００では、中皿蓋２１０のヒンジ部２３０から最も離れた位置に突起部２１１が形成されているが、図１０の中皿２００ａにおいては、中皿蓋２１０ａのヒンジ部２３０から離れた位置に突起部２１１ａが形成される。
【００４９】
この場合、化粧料容器１００ａの蓋体１１０を蝶着軸１１８に沿って矢印Ｒ１の方向に回転させ、開動作を行うことにより、突出ピース１６０ａが移動し、突起部２１１ａを鉛直上方向に押し上げることにより、中皿２００の中皿蓋２１０と中皿容器２２０との係合を解除する。
【００５０】
（第３の実施の形態）
続いて、第３の実施の形態に係る化粧料容器１００ｂについて図を用いて説明する。なお、第３の実施の形態に係る化粧料容器１００ｂにおいては、第１および第２の実施の形態に係る化粧料容器１００，１００ａと異なる点について説明を行う。図１１は、第３の実施の形態に係る化粧料容器１００ｂの一例を示す模式的外観図である。
【００５１】
図１１に示すように、化粧料容器１００ｂにおいては、突出ピース１６０ｂが仕切り板１３３ｂの内部に設けられている。この場合、仕切り板１３３ｂは、第１の実施の形態および第２の実施の形態の仕切り板１３３と相違し、突出ピース１６０ｂの厚み幅よりも厚い幅を有する。仕切り板１３３ｂは、突出ピース１６０ｂが移動することにより、仕切り板１３３ｂに設けられた凹部から突出ピース１６０ｂの先端が突出するように設けられている。
【００５２】
次に、図１２は、突出ピース１６０ｂの構造の一例を示すための模式的平面図である。図１２（ａ）は、突出ピース１６０ｂの側面図を示し、図１２（ｂ）は、突出ピース１６０ｂの上面図を示す。
【００５３】
図１２（ａ），（ｂ）に示すように、突出ピース１６０ｂは、先端部１６１、細肉部１６２、本体部１６３、後端部１６４、戻り部１６５およびスライド部１６６からなる。先端部１６１は、図６の突出ピース１６０と異なり斜め上方に傾斜して設けられる。後端部１６４は、突出部を有し、かつ本体部１６３よりも太い幅を有する。また、戻り部１６５は、容器本体１２０に設けられた係合部（図１３〜図１５参照）と係合し、突出ピース１６０ｂを矢印Ｓ１の方向と逆方向に押し戻す。したがって、蓋体１１０ｂの開動作により偏心部１１９ｂが後端部１６４を押さない場合、戻り部１６５は、突出ピース１６０ｂを矢印Ｓ１の方向と逆方向に押し戻す。
【００５４】
次いで、図１３から図１５は図１１の化粧料容器１００ｂの断面の一部を拡大した模式的拡大図である。図１３から図１５は、順に化粧料容器１００ｂの蓋体１１０ｂを開動作させた状態を示す。
【００５５】
図１３に示すように、化粧料容器１００ｂの蓋体１１０ｂを回転させた場合、蝶着軸１１８ｂに偏心して設けられた偏心部１１９ｂが突出ピース１６０ｂの後端部１６４に接触する。ここで、図１３に示すように、蓋体１１０ｂは、突起形状の偏心部１１９ｂを有する。
【００５６】
さらに、図１４に示すように、化粧料容器１００ｂの蓋体１１０ｂをさらに回転させた場合、蝶着軸１１８ｂに設けられた偏心部１１９ｂが後端部１６４をさらに押し、突出ピース１６０ｂが矢印Ｓ１の方向に移動する。この場合、突出ピース１６０ｂの先端部１６１が容器本体１２０の突起部１２１に沿って移動する。同時に先端部１６１の傾斜面と突起部２１１の傾斜面とが接触し、先端部１６１が、中皿蓋２１０の突起部２１１を鉛直上方向に押し上げる。また、この場合、突出ピース１６０ｂの戻り部１６５が、容器本体１２０の仕切り板１３３ｂ内に設けられた突起と接触する。
【００５７】
続いて、図１５に示すように、化粧料容器１００ｂの蓋体１１０ｂをさらに回転させた場合、蝶着軸１１８ｂに設けられた偏心部１１９ｂが後端部１６４をさらに押し、突出ピース１６０ｂがさらに矢印Ｓ１の方向に移動し、先端部１６１が、中皿２００の中皿蓋２１０に設けられた突起部２１１をさらに鉛直上方向に押し上げ、中皿２００の中皿蓋２１０と中皿容器２２０との係合を解除する。すなわち、中皿蓋２１０の凹部２１２と中皿容器２２０の凸部２２２との係合深さ以上に、突起部２１１が押し上げられる。また、突出ピース１６０ｂの戻り部１６５が、容器本体１２０の仕切り板１３３ｂ内に設けられた突起と接して弾性変形し、突出ピース１６０ｂが矢印Ｓ１の方向と逆方向に移動する。
【００５８】
次いで、図１６は、突出ピース１６０，１６０ａ，１６０ｂの他の例を示す模式的平面図である。
【００５９】
図１６に示すように、突出ピース１６０ｃは、後端部１６４の代わりに後端部１６４ｃを有する。後端部１６４ｃは、凹状の湾曲面からなる。
【００６０】
続いて、図１７は、突出ピース１６０，１６０ａ，１６０ｂ，１６０ｃのさらに他の例を示す模式的平面図である。
【００６１】
図１７に示すように、突出ピース１６０ｄは、後端部１６４の代わりに後端部１６４ｄを有する。後端部１６４ｄは、直線状の傾斜面からなる。
【００６２】
最後に、図１８は、突出ピース１６０，１６０ａ，１６０ｂ，１６０ｃ，１６０ｄのさらに他の例を示す模式的平面図である。
【００６３】
図１８に示すように、突出ピース１６０ｅは、先端部１６１、細肉部１６２、本体部１６３、後端部１６４および戻り部１６５ｅからなる。戻り部１６５ｅは、容器本体１２０に設けられた係合部（図示せず）と係合し、突出ピース１６０ｅを矢印Ｓ１の方向と逆方向に押し戻す。したがって、蓋体１１０の開動作により偏心部１１９が後端部１６４を押さない場合、戻り部１６５ｅは、突出ピース１６０を矢印Ｓ１の方向と逆方向に押し戻す。
【００６４】
図１９は、第１乃至第３の実施の形態に係る蓋体１１０の蝶着軸１１８の偏心部１１９の他の例を示す模式的断面図である。
【００６５】
図１９に示すように、蓋体１１０ｆの偏心部１１９ｆは、突起状部材からなる。この場合、偏心部１１９ｆの突起状部材により、面ではなく、点の力で突出ピース１６０を作動させることができる。
【００６６】
なお、上記の実施の形態においては、偏心部１１９，１１９ｂ，１１９ｆが、面形状、突起形状、円形状、切り欠き形状からなることとしているが、これに限定されず、蓋体１１０，１１０ｂの開動作に基づいて、突出ピース１６０，〜，１６０ｅを移動させる形状であればよく、線形状、リブ形状、円筒形状、円錐形状、他の任意の形状からなることとしてもよい。
【００６７】
また、蓋体１１０，１１０ｂの閉動作時に、中皿蓋２１０および中皿容器２２０を係合させるため、突出ピース１６０，〜，１６０ｄの後端部１６４に複数面を形成し、当該閉動作時に、偏心部１１９，１１９ｂ，１１９ｆが一方の面を沿って移動し、開動作時に、偏心部１１９，１１９ｂ，１１９ｆが他方の面を沿って移動するようにしてもよい。
【００６８】
さらに、蓋体１１０の閉動作終了時に、中皿蓋２１０および中皿容器２２０の凹部２１２および凸部２２２の係合を行うよう蓋体１１０の内面に突起を設けて、中皿蓋２１０を押す構造を設けてもよい。
【００６９】
以上のように化粧料容器１００，１００ａ，１００ｂにおいては、化粧料容器１００，１００ａ，１００ｂの蓋体１１０，１１０ａ，１１０ｂ，１１０ｆを開動作させない限り、中皿２００，２００ａが開動作をしないので、中皿２００，２００ａの化粧料４００の気密性を保持することができる。したがって、化粧ポーチまたは鞄等に収納して持ち運ぶ際、誤って化粧料容器１００，１００ａ，１００ｂのフックピース１９０を操作しても、中皿２００，２００ａの中皿蓋２１０，２１０ａが開状態とならず、化粧料４００が乾燥することを防止できる。また、蓋体１１０，１１０ａ，１１０ｂ，１１０ｆの開動作時に中皿２００，２００ａの開動作が行われるので、使用者に開動作を容易に認識させることができる。
【００７０】
また、中皿２００，２００ａの中皿蓋２１０，２１０ａおよび中皿容器２２０は、凹部２１２と凸部２２２とにより係合され、中皿２００の一端側にヒンジ部２３０が設けられ、中皿２００の他端側に突起部２１１，２１１ａが設けられるので、ヒンジ部２３０から最も離れた位置に簡易な力を与えることにより、中皿２００の中皿蓋２１０，２１０ａを押し上げることができ、中皿２００，２００ａの係合を解除させることができる。
【００７１】
また、蓋体１１０，１１０ａ，１１０ｂ，１１０ｆの蝶着軸１１８，１１８ｂ，１１８ｆに偏心部１１９，１１９ｂ，１１９ｆが設けられている場合、蓋体１１０，１１０ａ，１１０ｂ，１１０ｆが開動作されることにより蝶着軸１１８，１１８ｂ，１１８ｆに設けられた偏心部１１９，１１９ｂ，１１９ｆが、突出ピース１６０，１６０ａ，１６０ｂ，１６０ｃ，１６０ｄ，１６０ｅを動作させる。その結果、簡易な構造および低コストで、蓋体蓋体１１０，１１０ａ，１１０ｂ，１１０ｆの開動作時以外の中皿２００，２００ａの化粧料４００の気密性を保持することができる。
【００７２】
さらに、突出ピース１６０，１６０ａ，１６０ｂ，１６０ｃ，１６０ｄ，１６０ｅの先端部１６１の傾斜面と中皿蓋２１０，２１０ａの突起部２１１，２１１ａの傾斜面とが、接触し、先端部１６１が進方向に移動することにより、突起部２１１，２１１ａが鉛直上方向に移動される。その結果、偏心部１１９，１１９ｂ，１１９ｆにより突出ピース１６０，１６０ａ，１６０ｂ，１６０ｃ，１６０ｄ，１６０ｅが移動しない限り、中皿２００，２００ａの係合が解除されないので、蓋体１１０，１１０ａ，１１０ｂ，１１０ｆの開動作時以外の中皿２００，２００ａの化粧料４００の気密性を保持することができる。また、突出ピース１６０ｂ，１６０ｅは、蓋体１１０の偏心部１１９ｂにより進方向に移動され、戻り部１６５により退方向に移動されるので、蓋体１１０ｂの動作により、中皿２００の中皿蓋２１０と中皿容器２２０との係合を再度、行うことができる。
【００７３】
また、突出ピース１６０，１６０ａは、仕切り板１３３に沿って進退動作するので、使用者が中皿２００，２００ａの係合の解除を認識することができ、安心して化粧料４００を使用することができる。さらに、突出ピース１６０ｂが仕切り板１３３ｂに内蔵されるので、突出ピース１６０ｂが進動作した場合のみ、先端部１６１が仕切り板１３３ｂから露出し、突起部２１１に接触する。その結果、突出ピース１６０ｂが移動しない限り、中皿２００の係合が解除されないので、中皿２００の化粧料４００の気密性を保持することができる。
【００７４】
上記の実施の形態においては、中皿２００，２００ａが中皿に相当し、容器本体１２０，１２０ａが容器本体に相当し、蓋体１１０，１１０ａ，１１０ｂ，１１０ｆが蓋体に相当し、中皿容器２２０が中皿容器に相当し、中皿蓋２１０，２１０ａが中皿蓋に相当し、突起部２１１，２１１ａが突起部に相当し、蝶着軸１１８，１１８ｂが蝶着軸に相当し、偏心部１１９，１１９ｂ，１１９ｆが押出し部に相当し、突出ピース１６０，１６０ａ，１６０ｂ，１６０ｃ，１６０ｄ，１６０ｅが作動部に相当し、凹部２１２が凹部に相当し、凸部２２２が凸部に相当し、化粧料容器１００，１００ａ，１００ｂが化粧料容器に相当し、突起部２１１が突起部に相当し、偏心部１１９ａ，１１９ｂ，偏心部１１９ｆが偏心部材に相当し、矢印Ｓ１の方向が進方向に相当し、細肉部１６２が弾性部に相当し、矢印Ｓ１と逆の方向が退方向に相当し、仕切り板１３３，１３３ｂが区分する壁に相当し、先端部１６１の傾斜面が第１傾斜部に相当し、中皿蓋２１０，２１０ａの突起部２１１，２１１ａの傾斜面が第２傾斜部に相当する。
【００７５】
本発明の好ましい実施の形態は上記の通りであるが、本発明はそれだけに制限されない。本発明の精神と範囲から逸脱することのない様々な実施形態が他になされることは理解されよう。例えば、上記の実施の形態においては、化粧用の容器にのみ特化して説明したが、容易に他の収納容器等にも適用することができる。さらに、本実施形態において、本発明の構成による作用および効果を述べているが、これら作用および効果は、一例であり、本発明を限定するものではない。
【図面の簡単な説明】
【００７６】
【図１】本発明の第１の実施の形態に係る化粧料容器の構成の一例を示す模式的外観図
【図２】図１に示す化粧料容器の使用状態を説明するための模式的外観図
【図３】図２のＡ−Ａ断面の一例を示す模式的断面図
【図４】中皿と係合する化粧料容器の固定係止部を説明するための模式的拡大図
【図５】中皿と係合する化粧料容器の弾性係止部を説明するための模式的拡大図
【図６】突出ピースの詳細を示す模式的平面図
【図７】図３の化粧料容器の断面の一部を拡大した模式的拡大図
【図８】図３の化粧料容器の断面の一部を拡大した模式的拡大図
【図９】図３の化粧料容器の断面の一部を拡大した模式的拡大図
【図１０】第２の実施の形態に係る化粧料容器の一例を示す模式的概観図
【図１１】第３の実施の形態に係る化粧料容器の一例を示す模式的外観図
【図１２】突出ピースの構造の一例を示す模式的平面図
【図１３】図１２の化粧料容器の断面の一部を拡大した模式的拡大図
【図１４】図１２の化粧料容器の断面の一部を拡大した模式的拡大図
【図１５】図１２の化粧料容器の断面の一部を拡大した模式的拡大図
【図１６】突出ピースの他の例を示す模式的平面図
【図１７】突出ピースのさらに他の例を示す模式的平面図
【図１８】突出ピースのさらに他の例を示す模式的平面図
【図１９】第１乃至第３の実施の形態に係る蓋体の蝶着軸の偏心部の他の例を示す模式的断面図
【符号の説明】
【００７７】
１００，１００ａ，１００ｂ  化粧料容器
１１０，１１０ａ，１１０ｂ，１１０ｆ  蓋体
１１２  鏡
１１５  フック（係合爪）
１１８，１１８ｂ  蝶番
１１９，１１９ｂ，１１９ｆ  偏心部
１２０，１２０ａ  容器本体
１３０，１８０  収容凹部
１３３，１３３ｂ  仕切り板
１３５  孔部
１４０  切欠き部
１５０  弾性係止部
１５１  固定係止部
１５５  スリット
１６０，１６０ａ，１６０ｂ，１６０ｃ，１６０ｄ，１６０ｅ  突出ピース
１６１  先端部
１６２  細肉部
１６３  本体部
１６４，１６４ａ，１６４ｂ，１６４ｃ，１６４ｄ，１６４ｅ  後端部
１６５，１６５ｅ  戻り部
１９０  フックピース
１９１  係止部
２００，２００ａ  中皿
２１０，２１０ａ  中皿蓋
２１１，２１１ａ  突起部
２１２  凹部
２２０  中皿容器
２２２  凸部
２３０  ヒンジ部
２４０  係止部
２４１  係止部
３００  化粧用パフ
４００  化粧料
【図１】
2010136848.tif 000003
【図２】
2010136848.tif 000004
【図３】
2010136848.tif 000005
【図４】
2010136848.tif 000006
【図５】
2010136848.tif 000007
【図６】
2010136848.tif 000008
【図７】
2010136848.tif 000009
【図８】
2010136848.tif 000010
【図９】
2010136848.tif 000011
【図１０】
2010136848.tif 000012
【図１１】
2010136848.tif 000013
【図１２】
2010136848.tif 000014
【図１３】
2010136848.tif 000015
【図１４】
2010136848.tif 000016
【図１５】
2010136848.tif 000017
【図１６】
2010136848.tif 000018
【図１７】
2010136848.tif 000019
【図１８】
2010136848.tif 000020
【図１９】
2010136848.tif 000021